(57)【要約】      （修正有）【課題】誕生記念筆を安定且つ見やすく収容することができる誕生記念品を提供する。【解決手段】誕生記念筆収納箱の容器部１０Ａに誕生記念筆３０を載置する載置台１２を配置する。載置台１２の上面には、誕生記念筆３０の外形より若干大きく、且つその形状に沿って誕生記念筆３０をその半分程度収容する凹み１２ａを形成してある。誕生記念筆３０の軸部３２の頂点にある組み紐からなるリング３８にＬ字状のフック４０を係止する。誕生記念筆３０の中間部分で、保持ベルト４２が、誕生記念筆３０を凹み１２ａ内に安定に保持する。【選択図】図２
0003168439.tif 000002
【実用新案登録請求の範囲】
【請求項１】
子供の誕生を記念する誕生記念筆（３０）と、当該誕生記念筆を収納する収納箱（１０Ａ）とからなる誕生記念品であって、
当該収納箱内（１０Ａ）に配置され、当該誕生記念筆を部分的に収容する凹み（１２ａ）を有する載置台（１２）と、
当該凹み（１２ａ）に置かれる当該誕生記念筆（３０）の軸部（３２）の頭部に接続するリング（３８）に係合するフック（４０）と、
当該凹み（１２ａ）に置かれる当該誕生記念筆（３０）の当該軸部（３２）を当該載置台に対して保持する保持手段（４２）
とを具備することを特徴とする誕生記念品。
【請求項２】
更に、当該収納箱内（１０Ａ）に当該載置台に並んで配置され、当該子供の家族関係を表記する系図表示手段（１４）を具備することを特徴とする請求項１に記載の誕生記念品。
【請求項３】
当該保持手段が、当該誕生記念筆の重心の、当該フックから離れた側に配置されることを特徴とする請求項１又は２に記載の誕生記念品。
【請求項４】
当該保持手段が、当該軸部に当接する保持ベルトと、当該保持ベルトの端部に接続し、当該載置台に固定される釘手段とからなることを特徴とする請求項１乃至３の何れか１項に記載の誕生記念品。
【請求項５】
当該保持手段が、当該載置台の任意の位置に固定自在であることを特徴とする請求項１乃至４の何れか１項に記載の誕生記念品。
【請求項６】
当該保持手段が、当該載置台から取り外し自在であることを特徴とする請求項５に記載の誕生記念品。
【請求項７】
当該誕生記念筆の軸部には、当該子供の家族構成が記載されていることを特徴とする請求項１乃至６の何れか１項に記載の誕生記念品。
【考案の詳細な説明】
【技術分野】
【０００１】
本考案は、誕生記念品に関し、より具体的には、子供の誕生を記念する物を展示用に収容する誕生記念品に関する。
【背景技術】
【０００２】
従来、誕生した子供の記念として、そのへその緒や生えたての頭髪などを家庭で永久に保管することが行われ、更には、子供の誕生を永久に一生の輝かしい思い出とするため、子供の生えたての頭髪を用いて誕生記念筆を作製することが行われている。
【０００３】
このような誕生記念筆を収納し、外表面に子供の氏名および生年月日などを表記した収納箱が、知られている（特許文献１）。
【先行技術文献】
【特許文献】
【０００４】
【特許文献１】実用新案登録第３０６２６２６号公報
【考案の概要】
【考案が解決しようとする課題】
【０００５】
従来の誕生記念筆収納箱は基本的に、誕生記念筆の保管を主目的とし、外表面の表記は、内容物を外部から確認できるようにするものであり、展示物として目に付く場所に置かれることを想定するものになっていない。例えば、壁にぶら下げたり、壁に立て掛けることは考慮されていない。
【０００６】
また、誕生記念としては、子供の氏名と誕生日のみならず、両親、更には祖父母等の家系を知る手段があると、より好ましい。
【０００７】
本考案は、子供の誕生を単に記念するのみならず、その家系的な関係も一目瞭然と示すことが可能な誕生記念品を提示することを目的とする。
【課題を解決するための手段】
【０００８】
本考案に係る誕生記念品は、子供の誕生を記念する誕生記念筆と、当該誕生記念筆を収納する収納箱とからなる誕生記念品であって、当該収納箱内に配置され、当該誕生記念筆を部分的に収容する凹みを有する載置台と、当該凹みに置かれる当該誕生記念筆の軸部の頭部に接続するリングに係合するフックと、当該凹みに置かれる当該誕生記念筆の当該軸部を当該載置台に対して保持する保持手段とを具備することを特徴とする。
【考案の効果】
【０００９】
本考案によれば、誕生記念筆を安定に収容し、収容した状態で見易く展示できる。
【図面の簡単な説明】
【００１０】
【図１】本発明の一実施例の外観斜視図であって、蓋を開けた状態を示す。
【図２】誕生記念筆を収容した状態（蓋を除く）の平面図を示す。
【図３】図２のＡ−Ａ線から見た状態（蓋を除く）の断面図を示す。
【図４】図２のＢ−Ｂ線から見た状態の断面図を示す。
【図５】誕生記念筆の軸部の表面の展開図を示す。
【図６】誕生記念筆を保持する保持手段の斜視図である。
【考案を実施するための形態】
【００１１】
以下、図面を参照して、本考案の実施例を詳細に説明する。
【実施例１】
【００１２】
図１は、本発明の一実施例の外観斜視図であって、蓋を開けた状態を示す。図２は、誕生記念筆３０を収容した状態（蓋を除く）の平面図を示し、図３は、図２のＡ−Ａ線から見た状態（蓋を除く）の断面図を示し、図４は、図２のＢ−Ｂ線から見た状態の断面図を示す。
【００１３】
誕生記念筆収納箱は、上面が開放された容器部１０Ａと、容器部１０Ａを閉成する蓋部１０Ｂとで構成される。容器部１０Ａと蓋部１０Ｂとの関係を理解できるように、図４には、蓋部１０Ｂも図示してある。
【００１４】
容器部１０Ａ内の右側には、誕生記念筆３０を載置する載置台１２が配置されている。載置台１２は緻密なスポンジ又は発泡スチロール等の弾性材からなり、載置台１２の上面には、誕生記念筆３０の外形に沿って誕生記念筆３０をその半分程度収容する凹み１２ａを形成してある。すなわち、凹み１２ａは、誕生記念筆３０をその軸方向については全体的に収容し、径方向については部分的に収容する形状を有する。
【００１５】
容器部１０Ａ内の左側には、子供、父母及び祖父母を系図として表記した系図板１４が、誕生記念筆３０と高さを揃えるための高さ調整台１６上に配置されている。
【００１６】
誕生記念筆３０の軸部３２の表面には、誕生を記念する子供の氏名、及び両親の氏名が印刷されている。図５は、軸部３２の表面の展開図を示す。誕生記念筆３０の毛部３４には、透明ビニール材からなる円筒状の透明カバー３６が被せられている。
【００１７】
誕生記念筆３０の軸部３２の頂点には組み紐からなるリング３８を取り付けてあり、凹み１２ａの、リング３８に対応する位置には、Ｌ字状のフック４０を埋め込んである。フック４０は、リング３８に入り込むことにより、誕生記念筆３０が、凹み１２ａ内で一定以上、図２上で筆部３４の方向に移動しえないように、誕生記念筆３０を係止する。
【００１８】
誕生記念筆３０の中間部分で、保持手段としての保持ベルト４２が、誕生記念筆３０を凹み１２ａ内に安定に保持する。保持ベルト４２の斜視図を図６（ａ）に示す。保持ベルト４２の両端には、コ字状のダブルポイント釘４４，４６を取り付けてある。すなわち、保持ベルト４２は、ダブルポイント釘４４，４６のコネクタ部に巻き付けて固定されている。載置台１２への十分な固定力を得られる場合、図６（ｂ）に示すように、ストレートの釘を直角に曲げ、その水平部分に保持ベルト４２を固定する構成であっても良い。また、図６（ｃ）に示すように、保持ベルト４２に代わる保持糸４８の両端に釘５０，５２を固定した構成を採用しても良い。何れも、取り外しを行わない場合、又は稀にしか行わない場合には、釘部先端に返しを設けて固定力を増強してもよい。
【００１９】
誕生記念筆３０を凹み１２ａに配置した後、保持ベルト４２が誕生記念筆３０の軸部３２の側面を周回するように釘４４，４６を誕生記念筆３０の両側で載置台１２に差し込むことで、誕生記念筆３０を凹み１２ａ内に保持できる。保持ベルト４２は、誕生記念筆３０の側面に表記される文字等を判読できるように、透明であるのが好ましい。
【００２０】
強度が満たされる場合、保持ベルト４２に代えて、図６（ｃ）に示すように、糸状のものを用いても良いことは明らかである。保持ベルト４２により誕生記念筆３０を凹み１２ａ内に保持した後でも、誕生記念筆３０を凹み１２ａ内で回転することが可能であり、これにより、誕生記念筆３０の側面の表記の希望部分を正面に位置させることができる。
【００２１】
また、保持ベルト４２による保持と、フック４０とリング３８の係合とを併用することにより、誕生記念筆３０を凹み１２ａ内に静止状態で安定に保持することができる。特に、誕生記念筆３０の重心よりも筆部３４側に保持ベルト４２を配置することで、更に安定に誕生記念筆３０を保持できる。これらにより、机等の上に水平に置いた場合でも、壁等に立て掛けた場合でも、誕生記念筆３０を安定に保持することができる。
【００２２】
特定の説明用の実施例を参照して本考案を説明したが、実用新案登録請求の範囲に規定される本考案の技術的範囲を逸脱しないで、上述の実施例に種々の変更・修整を施しうることは、本考案の属する分野の技術者にとって自明であり、このような変更・修整も本考案の技術的範囲に含まれる。
【符号の説明】
【００２３】
１０Ａ：容器部
１０Ｂ：蓋
１２：載置台
１２ａ：凹み
１４：系図板
１６：高さ調整台
３０：誕生記念筆
３２：軸部
３４：毛部
３６：透明カバー
３８：リング
４０：フック
４２：保持ベルト
４４，４６：ダブルポイント釘
４８：保持糸
５０，５２：釘
【図１】
0003168439.tif 000003
【図２】
0003168439.tif 000004
【図３】
0003168439.tif 000005
【図４】
0003168439.tif 000006
【図５】
0003168439.tif 000007
【図６】
0003168439.tif 000008
【手続補正書】
【提出日】平成23年4月4日(2011.4.4)
【手続補正１】
【補正対象書類名】明細書
【補正対象項目名】００１６
【補正方法】変更
【補正の内容】
【００１６】
誕生記念筆３０の軸部３２の表面には、誕生を記念する子供の氏名、及び両親・祖父母の名前が印刷されている。図５は、軸部３２の表面の展開図を示す。誕生記念筆３０の毛部３４には、透明ビニール材からなる円筒状の透明カバー３６が被せられている。